【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
熱可塑性樹脂材料によって形成された、少なくとも第１の水平ウェブ（１１）、第２の水平ウェブ（１２）および第３の水平ウェブ（１３）を有する複層ウェブパネル（１０）を少なくとも有してなり、各水平ウェブ（１１、１２、１３）は垂直ウェブ（１５）によって相互に接続されている輻射線コレクターであって、第１の水平ウェブ（１１）は透過性を有しており、第２の水平ウェブ（１２）は第１の水平ウェブ（１１）と第３の水平ウェブ（１３）との間に配置されており、該第２の水平ウェブ（１２）には孔（１）が設けられており、該第２の水平ウェブ（１２）は輻射線を吸収することを特徴とする輻射線コレクター。
【請求項２】
第２の水平ウェブ（１２）の全表面積に対する孔の面積の割合は、最大でも３％、好ましくは１％以下、特に好ましくは０．１〜０．４％であることを特徴とする請求項１に記載の輻射線コレクター。
【請求項３】
水平ウェブ（１１、１２、１３）および垂直ウェブ（１５）は、隣接して配される少なくとも２つの重ねられたチャンバーの列を形成しており、該チャンバーは互いに隔てられており、その中を熱媒気体、特に空気を流れさせることができることを特徴とする請求項１または２に記載の輻射線コレクター。
【請求項４】
チャンバー（８、８ａ）は端部において閉じており、第２の水平ウェブ（１２）の上側に位置するチャンバー（８）は熱媒気体のための少なくとも１つの入口部（３）を有しており、第２の水平ウェブ（１２）の下側に位置するチャンバー（８ａ）は加熱された熱媒気体のための少なくとも１つの出口部（４）を有していることを特徴とする請求項３に記載の輻射線コレクター。
【請求項５】
チャンバー（８、８ａ）は循環回路（６）に配置され得るファン（５）に接続されており、チャンバー（８、８ａ）の出口部（４）の特に下流側に熱交換器（７）が接続されていることを特徴とする請求項３または４に記載の輻射線コレクター。
【請求項６】
請求項１〜５のいずれかに記載の輻射線コレクターを製造する方法であって、
第１の工程では、垂直ウェブ（１５）によって相互に接続される第１の水平ウェブ（１１）、第２の水平ウェブ（１２）および第３の水平ウェブ（１３）を少なくとも有する複層ウェブパネル（１０）を、透過性熱可塑性樹脂材料と輻射線吸収性樹脂材料との共押出成形法によって形成し、該第２の水平ウェブ（１２）には輻射線吸収性樹脂材料が含まれること、ならびに、
第２の工程では、第１の水平ウェブ（１１）を通して第２の水平ウェブ（１２）にレーザービームをあて、該レーザービームによって第２の水平ウェブ（１２）に複数の孔（１）を設けること、および該第２の水平ウェブ（１２）は複数の孔（１）を有することを特徴とする方法。
【請求項７】
レーザービームの波長は８００〜１２００ｎｍの範囲であることを特徴とする請求項６に記載の方法。
【手続補正２】
【補正対象書類名】明細書
【補正対象項目名】００３７
【補正方法】変更
【補正の内容】
【００３７】
図２は、熱媒気体として空気を使用するソーラーコレクターとして、図１に示す輻射線コレクターを用いることを模式的に示す図である。この場合、太陽輻射線２は、透過性を有する第１の水平ウェブ１１を通って、アブソーバーとして機能する第２の水平ウェブ１２にあたる。ここで熱が発生する。同時に、吸引デバイス（例えばファン）５によって、空気が入口部３を通ってコレクターの中へ導入され、コレクターの中を通って供給される。従って、空気は、レーザーによる孔（孔１）を通って導かれ、出口部４へと運ばれる。そのために、チャンバー８、８ａは端部９、９ａにおいて閉じていることが必要である。全体として、空気ポンプ循環６が形成され、これは開いたりまたは閉じたりする操作を行うことができ、そして、加熱された空気をヒーター利用部７に送ることができる。
尚、本願の発明の好ましい態様には、以下の各事項が含まれる。
［事項１］
熱可塑性樹脂材料によって形成された、少なくとも第１の水平ウェブ（１１）、第２の水平ウェブ（１２）および第３の水平ウェブ（１３）を有する複層ウェブパネル（１０）を少なくとも有してなり、各水平ウェブ（１１、１２、１３）は垂直ウェブ（１５）によって相互に接続されている輻射線コレクターであって、第１の水平ウェブ（１１）は透過性を有しており、第２の水平ウェブ（１２）は第１の水平ウェブ（１１）と第３の水平ウェブ（１３）との間に配置されており、該第２の水平ウェブ（１２）には孔（１）が設けられており、該第２の水平ウェブ（１２）は輻射線を吸収することを特徴とする輻射線コレクター。
［事項２］
第２の水平ウェブ（１２）の全表面積に対する孔の面積の割合は、最大でも３％、好ましくは１％以下、特に好ましくは０．１〜０．４％であることを特徴とする事項１に記載の輻射線コレクター。
［事項３］
水平ウェブ（１１、１２、１３）および垂直ウェブ（１５）は、隣接して配される少なくとも２つの重ねられたチャンバーの列を形成しており、該チャンバーは互いに隔てられており、その中を熱媒気体、特に空気を流れさせることができることを特徴とする事項１または２に記載の輻射線コレクター。
［事項４］
重ねられたチャンバー（８、８ａ）は複数の孔（１）によって連絡されていることを特徴とする事項３に記載の輻射線コレクター。
［事項５］
チャンバー（８、８ａ）は端部において閉じており、第２の水平ウェブ（１２）の上側に位置するチャンバー（８）は熱媒気体のための少なくとも１つの入口部（３）を有しており、第２の水平ウェブ（１２）の下側に位置するチャンバー（８ａ）は加熱された熱媒気体のための少なくとも１つの出口部（４）を有していることを特徴とする事項３または４に記載の輻射線コレクター。
［事項６］
チャンバー（８、８ａ）は循環回路（６）に配置され得るファン（５）に接続されており、チャンバー（８、８ａ）の出口部（４）の特に下流側に熱交換器（７）が接続されていることを特徴とする事項３〜５のいずれかに記載の輻射線コレクター。
［事項７］
水平ウェブ（１１、１２、１３）は０．２〜２ｍｍの厚みを有することを特徴とする事項１〜６のいずれかに記載の輻射線コレクター。
［事項８］
垂直ウェブ（１５）は３〜５０ｍｍの高さを有することを特徴とする事項１〜７のいずれかに記載の輻射線コレクター。
［事項９］
特に第１の水平ウェブ（１１）を形成する熱可塑性樹脂材料が、ポリカーボネート、ポリメチルメタクリレート、ポリスチレン、ポリエチレン、ポリエチレンテレフタレート、ポリビニルクロリド、および熱可塑性ポリウレタンから選ばれる樹脂材料であることを特徴とする事項１〜８のいずれかに記載の輻射線コレクター。
［事項１０］
第２の水平ウェブ（１２）および／または第３の水平ウェブ（１３）を形成する熱可塑性樹脂材料が、ポリブチレンテレフタレート、ポリスチレン、アクリロニトリル／ブタジエン／スチレン（ＡＢＳ）コポリマー、熱可塑性ポリウレタンまたはポリカーボネートとＡＢＳとのブレンドから選ばれる樹脂材料であることを特徴とする事項１〜９のいずれかに記載の輻射線コレクター。
［事項１１］
第２の水平ウェブ（１２）がカーボンブラックを含むことを特徴とする事項１〜１０のいずれかに記載の輻射線コレクター。
［事項１２］
孔の直径は０．１〜１．２ｍｍ、好ましくは０．２〜０．５ｍｍであることを特徴とする事項１〜１１のいずれかに記載の輻射線コレクター。
［事項１３］
長尺のチャンバー（８、８ａ）と位置合わせされたコレクターの側面にさねはぎ継ぎ連結手段（tongue-and-groove element）が設けられており、その手段によって２またはそれ以上のコレクターを並べて組み立てることができることを特徴とする事項１〜１２のいずれかに記載の輻射線コレクター。
［事項１４］
事項１〜１３のいずれかに記載の輻射線コレクターを製造する方法であって、
第１の工程では、垂直ウェブ（１５）によって相互に接続される第１の水平ウェブ（１１）、第２の水平ウェブ（１２）および第３の水平ウェブ（１３）を少なくとも有する複層ウェブパネル（１０）を、透過性熱可塑性樹脂材料と輻射線吸収性樹脂材料との共押出成形法によって形成し、該第２の水平ウェブ（１２）には輻射線吸収性樹脂材料が含まれること、ならびに、
第２の工程では、第１の水平ウェブ（１１）を通して第２の水平ウェブ（１２）にレーザービームをあて、該レーザービームによって第２の水平ウェブ（１２）に複数の孔（１）を設けること、および該第２の水平ウェブ（１２）は複数の孔（１）を有することを特徴とする方法。
［事項１５］
レーザービームの波長は８００〜１２００ｎｍの範囲であることを特徴とする事項１４に記載の方法。